(57)【要約】      （修正有）【課題】細かな振動や風の中でも安定した映像を撮影できるクレーン用監視用カメラの吊下げ装置を提供する。【解決手段】回転軸３８のロータリーダンパー４１へ挿入される部分にスリ割り加工を施し、その軸心へねじ又はピンにより軸そのものを微小に広げることにより、磨耗などにより広がった軸受け部分にしっかりと固定され、調整することを容易にする。またクレーンブームへの取り付け部分により隠れる部分以外にはねじが露出しないようにねじ脱落防止金具３２ａ、３２ｂを取り付けることで繰り返しの揺動や振動によるねじの緩みが発生してもねじ頭が抑えられ脱落することがなくなり危険を軽減できる。【選択図】図２
0003149327.tif 000002
【実用新案登録請求の範囲】
【請求項１】
クレーン車  及び  タワー型クレーンのブームの先端又はその軸上の取り付け
られて使用される監視用カメラの吊り下げ装置において、クレーンブームに固定
されている固定金具と、前記固定金具に固定されている、回転型緩衝装置
（ロータリーダンパー）と、前記固定金具に回転可能な状態で、支持された
回転軸と、それに貫通されて取り付く、下部にカメラを吊り下げるための
回転金具とからなり前記回転軸の両端又は片方に、回転型緩衝装置（ロータリー
ダンパー）の角型、又は丸型の軸挿入口に挿入されるように加工されたもので
あって、当該回転軸の両端又は片方の軸端に軸端から軸の中央に向かって軸心に
ねじ加工又はテーパー加工された穴が施されたものであって、当該回転軸の
前記回転型緩衝装置（ロータリーダンパー）の挿入部分に一字又は十字の
スリ割りが施され、当該ねじ加工又はテーパー加工されたところにねじ又はピンを
挿入することにより、当該ねじまたはピンの締込みや深さの調整により
スリ割りの隙間が微小に拡大し、磨耗などにより生じた当該緩衝装置の軸挿入口と
軸とのがたつきを小さく調整できる機構を備えたクレーン用監視用カメラ吊下げ
装置。
【請求項２】
前記クレーンブームに固定されている固定金具及び吊り下げ支持されている
カメラ吊り下げ部分において、当該機構を組立、又は固定しているねじ又は
ピンを覆う構造であって、クレーンブームに固定される面から一体的に形成された
クレーンブームに固定される面以外に固定ねじ又はピンを有しないねじ脱落防止
金具を有するクレーン用  監視用カメラの吊下げ装置
【請求項３】
前記吊下げ装置の回転可能な状態で支持されている回転軸には防水ベアリングを
使用することにより回転軸部分の防水を簡素化し、コストを低減することが出来る。
【考案の詳細な説明】
【技術分野】
【０００１】
本考案は起伏するクレーンブームに取り付けられる作業監視用用カメラの無動力式の確度追随装置付きカメラ吊下げ装置に関する。
【背景技術】
【０００２】
クレーンブームの先端に取り付けて使用する監視カメラの吊下支持装置として
既知の実用新案登録第３０７７６３１号がある。
これは支持軸の外周面全体にねじ切加工を施されてものであって、支持ブラケット
の固定、及びロータリーダンパーをナットで固定するものである。
【０００３】
【特許文献１】実用新案登録第３０７７６３１号
【考案の開示】
【考案が解決しようとする課題】
【０００４】
上記のような監視用カメラの吊下げ装置では、支持軸の外周面全体にねじ切加工を
施し、ナットで。固定する機構で、繰り返しの揺動や振動により、ロータリーダン
パーの角型、又は丸型の軸挿入口の磨耗などにより軸との結合部にがたつきが発生し
クレーンの細かな振動や風の影響により安定した映像を撮影できなくなる。
【０００５】
また、ねじ類の多くが外部に対し多く露出していることによりクレーンの長期に
わたる繰り返しの揺動や振動により緩みが発生し、その後脱落することにより
クレーン下での作業者への傷害を与える危険性やこれによる飛散物により周囲に
損害を与える危険性がある。
本考案は上記の問題を解決する為にされたもので、簡単な構造で安定した動作と
安全性を持つクレーン用監視用カメラ吊下げ装置を提供することを目的とする。
【課題を解決するための手段】
【０００６】
このため本考案では、請求項１として、クレーンのブームに取り付け、吊下げて
使用するクレーン用監視用カメラにおいてクレーンブームに固定されている
固定金具と、前記固定金具に固定されている、回転型緩衝装置（ロータリーダンパー
）と、前記固定金具に回転可能な状態で、支持された回転軸と、それに貫通されて
取り付く、下部にカメラを吊り下げるための回転金具とからなり  当該回転軸の
両端又は片方に、回転型緩衝装置（ロータリーダンパー）の角型、又は丸型の軸挿入
口に挿入されるように加工されたものであって、当該回転軸の両端又は片方に軸端
から軸の中央に向かって軸心にねじ加工又はテーパー加工された穴が施されたもの
であって、当該回転軸の前記回転型緩衝装置（ロータリーダンパー）の挿入部に
一字又は十字のスリ割りが施され、当該ねじ加工されたところにねじを挿入する
とにより、当該ねじまたはピンの締込みや深さの調整によりスリ割りの隙間が微小
に拡大し、磨耗などにより生じた当該緩衝装置の軸挿入口と軸とのがたつきを
小さく調整できる機構を備えたことを特徴とする。
【０００７】
請求項２として、前記クレーンブームに固定されている固定金具及び吊り下げ
支持されているカメラ吊り下げ部分において、当該機構を組立、又は固定している
ねじ又はピンを覆う構造であって、クレーンブームに固定される面から一体的に
形成されたクレーンブームに固定される面以外に固定ねじ又はピンを有しない
ねじ脱落防止金具を有することを特徴とする。
【考案の効果】
【０００８】
本考案により、クレーンブームに固定されて使用する監視用カメラのクレーンブ
ームの揺動や風の影響により、回転型緩衝装置（ロータリーダンパー）の軸に遊び
を無くし、細かな振動や風の中でも安定した映像を撮影できることを可能にする。
更に簡単な構造で構成されかつ、がたつきの調整には装置の両側面から容易に
行うことが可能なので保守時のコスト低減となる。
【０００９】
また、本考案では、装置を構成する部品の組立ねじのねじ頭及び、回転軸を
クレーンブームに取り付ける面のみにねじ固定されたカバーで覆い、ねじの緩みが
発生してもねじ及び回転軸の脱落を防止することが出来る。
【００１０】
また、本考案では、防水型ベアリングを使用することにより簡易な構造で強い
風雨にさらされる環境にも安定した動作を維持することができる。
【考案を実施するための最良の形態】
【００１１】
図１は、本考案のクレーン用監視カメラの取付装置を使用しているところを示す。
クレーン車Ａは伸縮可能な多段のブーム１を備えており、その先端部には、本考案
のクレーン用監視カメラの取付装置を利用した監視カメラ２が吊下げられている。
【００１２】
監視カメラ２からクレーンブームに沿ってのケーブル３が支持部４を通ってクレーンブームの伸縮に合わせてケーブルを巻取るケーブルドラム５を経由し、クレーン
運転室６に設置されているカメラ制御器７に接続されている。
【００１３】
カメラ制御器７にはカメラ操作スイッチＢＯＸ８とモニター９が接続されおり、
カメラ操作スイッチＢＯＸ８ではカメラの撮影位置、絞り、フォーカス、ズーム、
撮影特性の設定行い、モニター９では監視用カメラ２から伝送された映像を表示する。
【００１４】
クレーン用監視カメラの取付装置Ｂは図２に示すとおり、クレーンブーム取
付け部３１と固定金具３３に固定された内部にベアリングが挿入された軸受
ホルダー３５により回転可能な状態で支持された回転軸３８があり、
回転軸３８の両端はダンパーカバー３７の内部まで入り込んでいる回転軸３８の
両端又は片方にダンパーカバー３７の内部で回転型緩衝装置（ロータリーダンパー）
４１の軸受け部分に回転軸端ダンパー挿入加工部３８ａが挿入され回転軸端スリ割
拡幅用テーパー加工部３８ｃへ回転軸端調整ねじ４３として皿ねじまたはピンを
挿入することにより、回転軸端スリ割拡幅部３８ｂが外側へ拡幅し、回転型緩衝
装置（ロータリーダンパー）４１の軸受け部分に隙間無く固定される。
３８の回転軸に固定されて取り付く回転連結金具３４とこれに接続されてカメラ
本体が吊下げられる吊下げ金具３９が取り付いている。
【００１５】
また、回転型緩衝装置（ロータリーダンパー）４１を雨水から保護しているダン
パーカバー３７の開口部を塞ぐダンパーカバー側面板４６をダンパーカバー側面固
定ねじ４２及びダンパーカバー上部固定ねじ４５で取り付けている。
【００１６】
前記ダンパーカバー側面板４６を固定しているダンパーカバー側面固定ねじ４２
及びダンパーカバー上部固定ねじ４５の脱落を防止するためクレーンブームの取付
部３１の面からダンパーカバー３７の側面を囲い込むように一体に形成された
ねじ脱落防止金具３２ａ，３２ｂを前記クレーンブームの取付部３１に接する面のみ
に接続するねじ脱落防止金具固定ねじ４０により固定され構成されている。
【産業上の利用可能性】
【００１７】
本考案の請求項１にかかる産業上の利用に関しては軸を内部に挿入して使用する
前記回転型緩衝装置（ロータリーダンパー）などを使用している装置のメンテナンス
性を良くすることが出来る。請求項２にかかる産業上の利用に関しては高所に取り付けられる装置のねじ、ピンなどの脱落防止として有効である。
【図面の簡単な説明】
【００１８】
【図１】クレーン用監視カメラの取付装置の実施例を示した図である。
【図２】クレーン用監視カメラの取付装置とカメラ本体を接続している図である。
【図３】回転軸端加工部分を示す図である。
【図４】防水型ベアリングの概観を示す図である。
【図５】クレーン運転室内のカメラコントローラーとモニターの接続を示す図である。
【符号の説明】
【００１９】
Ａ・・・クレーン車
Ｂ・・・クレーン用監視カメラの取付装置
Ｃ・・・回転軸端加工部
Ｄ・・・防水型ベアリング
Ｅ・・・クレーン運転室内のカメラコントローラーとモニター
１・・・ブーム１
２・・・監視カメラ
３・・・ケーブル
４・・・支持部
５・・・ケーブルドラム
６・・・クレーン運転室
７・・・カメラ制御器
８・・・カメラ操作スイッチＢＯＸ
９・・・モニター
３０・・固定ナット
３１・・クレーンブームの取付部
３２ａ、ｂ・・ねじ脱落防止金具
３３・・固定金具
３４・・回転連結金具
３５・・軸受ホルダー
３６・・軸固定金具
３７・・ダンパーカバー
３８・・回転軸
３８ａ・回転軸端ダンパー挿入加工部
３８ｂ・回転軸端スリ割拡幅部
３８ｃ・回転軸端スリ割拡幅用テーパー加工部
３９・・吊下げ金具
４０・・ねじ脱落防止金具固定ねじ
４１・・回転型緩衝装置（ロータリーダンパー）
４２・・ダンパーカバー側面固定ねじ
４３・・回転軸端調整ねじ
４４・・ダンパーカバー側面板固定ねじ
４５・・ダンパーカバー上部固定ねじ
４６・・ダンパーカバー側面板
４７・・カメラ本体部
５０・・防塵防水シール
【図１】
0003149327.tif 000003
【図２】
0003149327.tif 000004
【図３】
0003149327.tif 000005
【図４】
0003149327.tif 000006
【図５】
0003149327.tif 000007
【手続補正書】
【提出日】平成21年1月21日(2009.1.21)
【手続補正１】
【補正対象書類名】実用新案登録請求の範囲
【補正対象項目名】請求項２
【補正方法】変更
【補正の内容】
【請求項２】
クレーンブームに固定されている固定金具及び吊り下げ支持されて
いるカメラ吊り下げ部分において、当該機構を組立、又は固定し
ているねじ又はピンを覆う構造であって、クレーンブームに固定
される面から一体的に形成されたクレーンブームに固定される面
以外に固定ねじ又はピンを有しないねじ脱落防止金具を有する
ことを特徴とする請求項１記載のクレーン用監視用カメラの吊り
下げ装置。
【手続補正２】
【補正対象書類名】実用新案登録請求の範囲
【補正対象項目名】請求項３
【補正方法】変更
【補正の内容】
【請求項３】
吊下げ装置の回転可能な状態で支持されている回転軸には防水ベアリングを
使用することにより回転軸部分の防水を簡素化し、コストを低減することが出来る
ことを特徴とする請求項１又は２記載のクレーン用監視用カメラの吊り下げ
装置。